(57)【特許請求の範囲】
【請求項１】
ロール紙の切断位置の前後両側を、切断刃側枠と紙押し込み部から成る紙押さえ手段で挟んで押さえた状態で、切断刃に対し切断位置が相対的に移動して切断される構造において、
前記の切断刃側枠側の紙押さえ手段は、切断刃寄りが凸状態で、その外側が凹状となり、
紙押し込み部側の紙押さえ手段は、逆に切断刃寄りが凹状態で、その外側は凸状となっており、しかも前後片側の切断刃寄り凹状部は、少なくとも切断刃寄りのエッジ部が除去状態となっていることを特徴とするロール紙引き出し器。
【請求項２】
前記の切断刃の前後両面をカバーしている切断刃凹室の中に進退する紙押し込み手段を有していることを特徴とする請求項１に記載のロール紙引き出し器。
【請求項３】
前記の切断刃に対し、切断刃凹室が紙押し込み手段による紙押し込み力で後退して切断刃が突き出す構造となっていることを特徴とする請求項１または請求項２に記載のロール紙引き出し器。
【請求項４】
前記の紙押し込み手段の左右両端が、片手操作で往復動する操作手段にワイヤーその他の線材で連結されていることを特徴とする請求項１、請求項２または請求項３に記載のロール紙引き出し器。
【請求項５】
前記の切断刃凹室と紙押し込み手段との間に、ロール紙からの繰り出し部を弾力で保持する手段を有していることを特徴とする請求項１から請求項４までのいずれかの項に記載のロール紙引き出し器。
【請求項６】
前記の切断刃凹室と紙押し込み手段との間に波状スリット板を有し、ロール紙の先端が前記の波状スリットを通過して引き出し可能となっていることを特徴とする請求項１から請求項５までのいずれかの項に記載のロール紙引き出し器。
【発明の詳細な説明】
【技術分野】
【０００１】
本発明は、トイレットペーパー等のようなロール紙を円滑に引き出してカットできるようにしたロール紙の引き出し器に関する。
【背景技術】
【０００２】
トイレットペーパーを円滑に引き出して片手で切断できるようにした器具として、特開２００１−２７５８８１号公報に記載のように、複数個のロール状ペーパーを回転可能な状態で収納するペーパー収納部と、前記ペーパー収納部に収納された複数個のロール状ペーパーからそれぞれ引き出されたペーパーを互いに重ね合わせた状態で取り出し可能なペーパー取出口と、前記ペーパー取出口に重なり合った状態で位置するペーパーを押し切りにより切断する切断機構とを備えたペーパーホルダーが提案されている。【０００３】
このような構成とすることにより、複数枚が重なり合った状態のペーパーをペーパー取出口から必要な長さだけ引き出し、そのまま切断機構で切断することができるようになるため、ロール状ペーパーからペーパーを引き出して切断する動作を片手のみで行うことが可能となるとともに、引き出したペーパーを折り畳んだり、巻いたりする動作の簡略化を図ることができる。【０００４】
前記切断機構として、前記重なり合った状態のペーパーに対して昇降する切断刃と、前記切断刃が下降して前記ペーパーに接触するまで前記切断刃の刃先を覆う刃カバー部材と、前記切断刃の下降時に前記ペーパーを押圧するペーパー係止部材とを設けた構成とすることにより、ペーパーの係止および切断を一連の動作で行うことが可能となるため、操作性が向上する。また、刃カバー部材で覆われている切断刃は、ペーパーを切断するときのみ露出するので、安全性も高まる。【０００５】
また、前記切断刃が下降して前記刃カバー部材と前記ペーパー係止部材の少なくとも一方が前記重なり合った状態のペーパーに接触するまで、前記刃カバー部材から前記切断刃の刃先が露出するのを阻止するストッパー部材を設けた構成とすることにより、切断刃とペーパーとの間に手指が介在する状態で誤って切断刃を下降させたとき、手指を傷つけるのを防止することができる。
【特許文献１】特開２００１−２７５８８１
【発明の開示】
【発明が解決しようとする課題】
【０００６】
しかしながら、このような構成では、切断刃の下降時にペーパーの前後の２点を押圧する紙押さえ部が離れ過ぎているために、切断刃の先端がペーパーを加圧した際にペーパーが伸び易く、ペーパーを円滑に切断できないという問題がある。その結果、切断刃のストロークを大きくする必要があり、ロールペーパーが複数個入りの高さ寸法の大きな装置にしか適用できない。そのため、装置が大型になるだけでなく、切断ストロークが長くなることで、切断操作も面倒になる。【０００７】
また、ペーパーに対して昇降する切断刃と、前記切断刃が下降して前記ペーパーに接触するまで前記切断刃の刃先を覆う刃カバー部材とを有する構造になっているが、その構造が複雑である。加えて、切断刃は、通常は刃カバー部材で覆われているが、ペーパーの切断時には露出するので、危険である。このように切断刃が露出するので、切断刃の刃先が刃カバー部材から露出するのを阻止するストッパー部材を設けるなどの特別な安全機構を設けているが、そのために摩擦抵抗が増大して切断操作に大きな操作力を要し、切断操作が重くなる。【０００８】
本発明の技術的課題は、このような問題に着目し、安全で子どもでも安心してかつ軽い操作力で切断でき、またロール紙を片手操作だけでつかみ代をつまんで円滑かつ確実に引き出して切断可能とすると共に、構造の小型簡素化とコストダウンを図ることにある。
【課題を解決するための手段】
【０００９】
本発明の技術的課題は次のような手段によって解決される。請求項１は、ロール紙の切断位置の前後両側を、切断刃側枠と紙押し込み部から成る紙押さえ手段で挟んで押さえた状態で、切断刃に対し切断位置が相対的に移動して切断される構造において、前記の切断刃側枠側の紙押さえ手段は、切断刃寄りが凸状態で、その外側が凹状となり、紙押し込み部側の紙押さえ手段は、逆に切断刃寄りが凹状態で、その外側は凸状となっており、しかも前後片側の切断刃寄り凹状部は、少なくとも切断刃寄りのエッジ部が除去状態となっていることを特徴とするロール紙引き出し器である。【００１０】
このように、ロール紙の切断位置の前後両側を紙押さえ手段で挟んで押さえた状態で、切断刃に対し切断位置が相対的に移動して切断される構造となっているため、ロール紙の切断位置の前後両側を紙押さえ手段で挟んで押さえた状態でロール紙を切断することになる。その結果、ロール紙を切断刃の刃先が押した際のロール紙の伸びが極めて少なく、ロール紙の切断が円滑かつ確実に行われる。また、切断に要する切断刃の相対ストロークも短くて済み、装置の小型化が可能となる。【００１１】
さらに、切断刃側枠側の紙押さえ手段は、切断刃寄りが凸状態で、その外側が凹状となり、紙押し込み部側の紙押さえ手段は、逆に切断刃寄りが凹状態で、その外側は凸状となっており、しかも前後片側の切断刃寄り凹状部は、少なくとも切断刃寄りのエッジ部が除去状態となっていて、切断に寄与しないので、切り屑の発生を防止できる。【００１２】
請求項２は、前記の切断刃の前後両面をカバーしている切断刃凹室の中に進退する紙押し込み手段を有していることを特徴とする請求項１に記載のロール紙引き出し器である。このように、前記の切断刃の前後両面をカバーしている切断刃凹室の中に進退する紙押し込み手段を有しいるため、ロール紙の切断時には、紙押し込み手段の先端にロール紙の切断位置付近が被さった状態で、紙押し込み手段が切断刃凹室の中に進入して、ロール紙の切断位置が切断刃に圧接し切断される。このように、切断刃が収納されている切断刃凹室の中に紙押し込み手段が進入した状態で切断が行われるので、切断刃が露出することがなく、安全が確保される。【００１３】
請求項３は、前記の切断刃に対し、切断刃凹室が紙押し込み手段による紙押し込み力で後退して切断刃が突き出す構造となっていることを特徴とする請求項１または請求項２に記載のロール紙引き出し器である。このように、切断動作の際に、前記の切断刃に対し、切断刃凹室が紙押し込み手段による紙押し込み力で後退して切断刃が突き出す構造となっているため、ロール紙の切断位置を切断刃凹室の紙押さえ部と紙押し込み手段の先端との間にロール紙の切断位置を挟んで押さえた状態で、固定状態の切断刃側に移動して切断される。その結果、紙押し込みとそれに続く切断動作のために繰り出された紙がつかみ代となって、次の引き出し操作のためのつかみ代が確保される。【００１４】
請求項４は、前記の紙押し込み手段の左右両端が、片手操作で往復動する操作手段にワイヤーその他の線材で連結されていることを特徴とする請求項１、請求項２または請求項３に記載のロール紙引き出し器である。このように、前記の紙押し込み手段の左右両端が、片手操作で往復動する操作手段にワイヤーその他の線材で連結されているため、片手操作で操作手段を往復動させた際に、線材を介して紙押し込み手段の左右両端が切断刃側に対し前進・後退するので、片手操作によって容易にロール紙を切断できる。【００１５】
請求項５は、前記の切断刃凹室と紙押し込み手段との間に、ロール紙からの繰り出し部を弾力で保持する手段を有していることを特徴とする請求項１から請求項４までのいずれかの項に記載のロール紙引き出し器である。このように、前記の切断刃凹室と紙押し込み手段との間に、ロール紙からの繰り出し部を弾力で保持する手段を有していて、繰り出された紙を保持するため、この弾力保持部と切断刃先端位置との間の領域の紙が、切断動作の後に手前に垂れ下がって、次にロール紙先端を引き出す際のつかみ代となるので、ロール紙先端の引き出し操作が簡便になる。また、ロール紙の繰り出し部が弾力で保持されるので、つかみ代部分がロール紙収納部中に巻き戻されるのを阻止できる。【００１６】
請求項６は、前記の切断刃凹室と紙押し込み手段との間に波状スリット板を有し、ロール紙の先端が前記の波状スリットを通過して引き出し可能となっていることを特徴とする請求項１から請求項５までのいずれかの項に記載のロール紙引き出し器である。このように、前記の切断刃凹室と紙押し込み手段との間に波状スリット板を有し、ロール紙の先端がこの波状スリットを通過して引き出されるため、柔軟なロール紙にも係わらず、波状部により剛性が増して腰が強くなる。その結果、ロール紙の先端を上向きに引き出して使用する場合でも、切断後のロール紙先端側は、波状スリットの付近の部分が自身の剛性で立った状態ないし盛り上がった状態となって、次にロール紙を引き出す際のつかみ代として作用するので、上向きに引き出す構造も可能となる。また、つかみ代部分が自重で折り重なって紙詰まりするのも防げる。
【発明の効果】
【００１７】
請求項１のように、ロール紙の切断位置の前後両側を紙押さえ手段で挟んで押さえた状態で、切断刃に対し切断位置が相対的に移動して切断される構造となっているため、ロール紙の切断位置の前後両側を紙押さえ手段で挟んで押さえた状態でロール紙を切断することになる。その結果、ロール紙を切断刃の刃先が押した際のロール紙の伸びが極めて少なく、ロール紙の切断が円滑かつ確実に行われる。また、切断に要する切断刃の相対ストロークも短くて済み、装置の小型化が可能となる。【００１８】
さらに、切断刃側枠側の紙押さえ手段は、切断刃寄りが凸状態で、その外側が凹状となり、紙押し込み部側の紙押さえ手段は、逆に切断刃寄りが凹状態で、その外側は凸状となっており、しかも前後片側の切断刃寄り凹状部は、少なくとも切断刃寄りのエッジ部が除去状態となっていて、切断に寄与しないので、切り屑の発生を防止できる。【００１９】
請求項２のように、前記の切断刃の前後両面をカバーしている切断刃凹室の中に進退する紙押し込み手段を有しいるため、ロール紙の切断時には、紙押し込み手段の先端にロール紙の切断位置付近が被さった状態で、紙押し込み手段が切断刃凹室の中に進入して、ロール紙の切断位置が切断刃に圧接し切断される。このように、切断刃が収納されている切断刃凹室の中に紙押し込み手段が進入した状態で切断が行われるので、切断刃が露出することがなく、安全が確保される。【００２０】
請求項３のように、切断動作の際に、前記の切断刃に対し、切断刃凹室が紙押し込み手段による紙押し込み力で後退して切断刃が突き出す構造となっているため、ロール紙の切断位置を切断刃凹室の紙押さえ部と紙押し込み手段の先端との間にロール紙の切断位置を挟んで押さえた状態で、固定状態の切断刃側に移動して切断される。その結果、紙押し込みとそれに続く切断動作のために繰り出された紙がつかみ代となって、次の引き出し操作のためのつかみ代が確保される。【００２１】
請求項４のように、前記の紙押し込み手段の左右両端が、片手操作で往復動する操作手段にワイヤーその他の線材で連結されているため、片手操作で操作手段を往復動させた際に、線材を介して紙押し込み手段の左右両端が切断刃側に対し前進・後退するので、片手操作によって容易にロール紙を切断できる。【００２２】
請求項５のように、前記の切断刃凹室と紙押し込み手段との間に、ロール紙からの繰り出し部を弾力で保持する手段を有していて、繰り出された紙を保持するため、この弾力保持部と切断刃先端位置との間の領域の紙が、切断動作の後に手前に垂れ下がって、次にロール紙先端を引き出す際のつかみ代となるので、ロール紙先端の引き出し操作が簡便になる。また、ロール紙の繰り出し部が弾力で保持されるので、つかみ代部分がロール紙収納部中に巻き戻されるのを阻止できる。【００２３】
請求項６のように、前記の切断刃凹室と紙押し込み手段との間に波状スリット板を有し、ロール紙の先端がこの波状スリットを通過して引き出されるため、柔軟なロール紙にも係わらず、波状部により剛性が増して腰が強くなる。その結果、ロール紙の先端を上向きに引き出して使用する場合でも、切断後のロール紙先端が自身の剛性で立った状態となって、次にロール紙を引き出す際のつかみ代として作用するので、上向きに引き出す構造も可能となる。また、つかみ代部分が自重で折り重なって紙詰まりするのも防げる。
【発明を実施するための最良の形態】
【００２４】
次に本発明によるロール紙引き出し器が実際上どのように具体化されるか実施形態を説明する。本発明によるロール紙引き出し器は、ロール紙から手前に引き出すタイプと上側に引き出すタイプがある。図１は、手前側引き出しタイプの全容を示す斜視図であり、ロール紙であるトイレットペーパーＲの収納箱の正面に、紙押し込み手段となる紙押し込み枠１と切断刃凹室枠２を有し、背部には、紙押し込み枠１を上下駆動するための押し下げハンドル３が配置されている。【００２５】
収納箱の左右の側壁外面には、上下左右に滑車４１〜４４が軸支され、これら４個の滑車４１〜４４にワイヤー５を掛け回してある。このワイヤー５には、背部の上下の滑車４１・４２間において、前記ハンドル３の下端の左右両端３ａを連結してあり、正面の上下の滑車４３・４４間において、前記紙押し込み枠１の左右両端から左右に突出しているスライド板１ｐを連結してある。ハンドル３を復帰上昇させる復帰バネとして、線材をＵ字状に曲げてなる線バネ６を左右両側壁の外面に設け、下端を収納箱の側壁に固定し、上端をハンドル３の下端３ａに連結してある。【００２６】
したがって、ハンドル３を片手で押し下げると、ワイヤー５が反時計方向に走行して、正面の紙押し込み枠１が引き上げられて、上側の切断刃凹室枠２中に押し込まれ、さらに切断刃凹室枠２を押し上げて、内部の切断刃でロール紙の切断が行われる。そして、ハンドル３から手を離すと、復帰バネ６によってハンドル３が押し上げられるので、ワイヤー５は時計方向に逆走して、切断刃凹室枠２がバネ力で下降すると共に、紙押し込み枠１が下降し復帰する。その結果、切断された紙の上端の切断部が紙押し込み枠１の上端に保持された状態で下降してロール紙引き出し口１４に露出するので、切断された紙を取って使用できる。また、ロール紙の先端は、次の引き出し時のつかみ代として露出する。【００２７】
図２は紙切断機構の詳細を示す縦断面図であり、図３はその要部拡大図である。切断刃凹室枠２の内部において、帯板状の左右に長い切断刃７の左右両端が収納箱の左右の側壁に固定されている。したがって、切断刃７は常に固定状態であり、切断刃凹室枠２のみが、下側の紙押し込み枠１によって上下駆動される。左右の側壁の内面に凸設されているガイド突起に沿って上下する切断刃凹室枠２の下部は、下側の紙押し込み枠１の紙押し込み部となる上部１ｕが進入できるように凹室８を有しており、この凹室８の天井面には、切断刃７が出入りするスリット９寄りに下向きの小凸部１０・１０を有している。そして、この小凸部１０・１０と前後の凹室８内壁１０ｉ・１０ｉとの間には小凹部１１・１１が形成されている。凹室８内壁１０ｉ・１０ｉの下端は、紙押し込み部１ｕが容易に進入できるように末広がりに傾斜している。切断刃凹室枠２の内部空間において、その天井部と切断刃７の上端との間に引っ張りバネ１２を張ってあるので、切断刃凹室枠２はバネ力で常に矢印ａ１のように下向きに引っ張られている。【００２８】
紙押し込み部１の上部１ｕは、切断刃凹室枠２の前記凹室８中に進入できるサイズになっており、中間には切断刃７が進入するスリット１３を有している。紙押し込み部１ｕのスリット１３寄りは、１ｂ・１ｂのように１段下がっていて、凸部１ａと凹部１ｂによって段状に形成されている。したがって、図３のように、ロール紙Ｒから引き出されたロール紙先端Ｒ１が紙押し込み枠１の上側１ｕに被さっている状態で紙押し込み枠１が上昇すると、紙押し込み部１ｕが前記の凹室８中に進入する。そして、さらに上昇すると、凸部１ａ・１ａが前記の小凹部１１・１１中に入り込み、凹部１ｂ・１ｂ中に前記の小凸部１０・１０が入り込むことによって、上下方向の挟持力を受けて、切断される紙Ｒ１が挟まれた状態となる。その結果、ロール紙先端Ｒ１がこれらの凹凸の間に挟持された状態で、切断刃７に対して紙押し込み部１ｕが更に上昇し、切断されることになる。すなわち、ワイヤー走行による紙押し込み枠１の上昇により、引っ張りバネ１２に抗して切断刃凹室枠２だけが更に押し上げられて、切断刃１２が下向きに突出し、切断が行われる。【００２９】
このように、切断刃７に隣接する前後両側に、凹部１ｂ・１ｂとその中に入る小凸部１０・１０を有し、その外側に凸部１ａ・１ａと該凸部１ａ・１ａが進入する小凹部１１・１１を有していて、これらの凹凸の間にロール紙先端Ｒ１の切断位置が鎖線のような波状に挟持された状態で、切断刃７で切断される。その結果、紙の切断位置の間近の前後両側が挟持された状態で切断刃７の切断力が加わることになり、紙の伸びなども殆ど生じないので、容易にかつ確実に切断される。紙押し込み部１の両端のスライド板１ｐは、図１のように、収納箱の左右両側壁に形成されたスリットＳ中で上下動するが、紙の切断完了した時点で、スリットＳ上端にスライド板１ｐが突き当たって、それ以上上昇不能となる。したがって、ロール紙引き出し器全体のサイズは、ロール紙収納箱から切断刃凹室枠２の上昇寸法だけ突出する程度であって、小型化される。このロール紙引き出し器を壁面側に設置する場合は、ハンドル３が壁面側に位置するように配置すれば、ハンドル３が特に邪魔になるようなこともない。【００３０】
切断完了して、ハンドル３から手を離すと、Ｕ状の復帰バネ６のバネ力で前記ワイヤー５が逆方向に走行して紙押し込み枠１が引き下げられて下降する。その際に、切断された紙と切断刃凹室枠２と紙押し込み枠１は一緒に下降し、切断刃凹室枠２が切断刃７側のストッパーに当たって停止すると、その後は、切断された紙と紙押し込み枠１の２者が下降し、スライド板１ｐがスリットＳの下端に当たると、図２のように下降停止する。この状態では、切断された紙は、その上端部が紙押し込み枠１の上部に付着していることもあるが、わずかな風でも容易に分離できる。【００３１】
一方、ロール紙側の先端Ｒ１は、つかみ代として残る。このつかみ代を残すために、図２のように、ロール紙収納室とロール紙引き出し窓１４との間に固定仕切り板１５と開閉仕切り板１６を設けてある。すなわち、固定仕切り板１５の下端の外面に、開閉仕切り板１６の上端が数ｍｍ程度重なっている。この開閉仕切り板１６の下端は、支軸１７で回動可能に支持されており、しかも図示しない弱いバネによって、開閉仕切り板１６の上端が固定仕切り板１５の下端外面に弾圧されている。【００３２】
この構成において、開閉仕切り板１６の上端をロール紙引き出し窓１４側に押し開けて、ロール紙Ｒの先端Ｒ１を開閉仕切り板１６の上端から外側に引き出しておく。その結果、ロール紙先端Ｒ１は常に固定仕切り板１５の下端と開閉仕切り板１６の上端との間に弱いバネ力で挟持された状態で、つかみ代Ｒ１がロール紙引き出し窓１４側に垂れ下がっていることになる。したがって、このつかみ代Ｒ１をつまんでロール紙を適当量だけ引っ張り出して、前記のようにハンドル３を押し下げて切断を行ない、紙押し込み枠１が下降すると、開閉仕切り板１６の上端と切断刃７の刃先との間の長さがつかみ代Ｒ１として残り、図２のようにロール紙引き出し窓１４側に垂れ下がることになる。なお、図示の切断刃７は、下端が例えば鋸刃状に形成されているが、切断刃７の一端が軸を中心に回転する鋏形式でもよい。【００３３】
切断刃凹室枠２だけが手で不用意に持ち上げられたりして上昇すると、内部の切断刃７が露出して危険である。そのため、図１のように、ハンドル３の下側の板部内面に形成されているガイド溝Ｇにクランク部後端が嵌入した状態で自転されるストッパー軸１８が切断刃凹室枠２の内面まで延びている。ストッパー軸１８の先端はＬ字状に曲がっていて、切断刃凹室枠２の内面に設けた阻止突起の上側に対向している。したがって、ハンドル３を押し下げても、ある時点まではストッパー軸１８が自転できず、ストッパー軸１８先端が阻止突起の上側に対向しているために、切断刃凹室枠２のみが上昇することはできない。ところが、紙押し込み部１の上端が切断刃凹室枠２の下部に接近する頃には、ハンドル３の板部内面のガイド溝Ｇの作用でストッパー軸１８が自転して、ストッパー軸１８先端が阻止突起の上側から反れるため、切断刃凹室枠２が上昇可能となる。このように、紙押し込み部１ｕがロール紙引き出し窓１４を通過して上昇し、切断刃凹室枠２に接近するまではストッパー軸１８が自転できず、ストッパー軸１８先端が阻止突起の上側に対向していて、切断刃凹室枠２のみの上昇を阻止しているので、不用意に切断刃凹室枠２のみを持ち上げて切断刃７を露出させるような危険を防止でき、安全である。【００３４】
図６は、図３の構造におけるロール紙先端Ｒ１の切断メカニズムを詳述する断面図であり、切断過程の切断作用を分析してみると、切断刃７の刃先でカットされるよりも、前記凹部１ｂ・１ｂの切断刃７寄りの上端エッジｅ、ｅと切断刃７の側面との間で剪断されることが多い。その結果、左右両エッジｅ、ｅの２か所で剪断が生じるために、ロール紙側としては、両エッジｅ、ｅ間の隙間に存在する領域が切り屑として発生し、切り屑の原因となるという問題がある。【００３５】
そこで、図７では、エッジｅによる剪断が片方だけで発生するように、いずれか片方のエッジｅを除去して丸みＲを付け、エッジｅが無い状態にしてある。したがって、エッジｅの部分によるロール紙挟持力は無くなるが、エッジｅの後部に多少の残り凹部１ｂｂが残っているので、この小面積の残り凹部１ｂｂと上側の小凸部１０とによる挟持力は残る。しかも、その外側の凸部１ａと小凹部１１間の挟持力も維持される。その結果、切断刃７の側面と、残っている片方の切断刃７寄りのエッジｅとの間でのみ剪断が行われるので、剪断部位は１か所だけとなり、切り屑の発生を防止できる。【００３６】
エッジｅを面取りして丸みを付けるだけでも有効ではあるが、狭いスリット１３は依然として残るため、切り屑の発生を完全には解消できない。したがって、丸みＲを含む領域を、鎖線１３ａで示す位置から切除すると、ロール紙を切断刃７側に押しつける部分は一掃されるので、切り屑は発生しない。なお、図７とは逆に、左側のエッジｅを除去し、右側にエッジｅを残して剪断用としてもよい。【００３７】
このように、片方のエッジｅと切断刃７側面との間の剪断でカットする場合は、図６のように切断刃７を中心線上で尖らすのでなく、鋏の刃先のように片面のみを尖らすのがよい。すなわち、エッジｅ側を尖らすと、ちょうど鋏で剪断するのと同様な作用となり、円滑にカットできる。なお、切断刃７を鋸歯状に形成して、その山の頂端のみ図６のように両側を研いで中央を尖らし、頂端以外は鋏のように片側だけ尖らせてもよい。【００３８】
図４は、ロール紙から上側に引き出すタイプの斜視図であり、図５は縦断面図である。このタイプは、ロール紙収納箱の上面において、切断刃凹室枠２と紙押し込み枠１との間のロール紙引き出し窓１４ｕに、波状スリット１９が形成されたスリット板２０を設けてある。したがって、ロール紙Ｒの先端をこの波状スリット１９から上側に引き出しておくと、引き出されたロール紙が波状に屈曲しているために、剛性が増して紙の腰が強くなる。その結果、つかみ代程度の長さであれば、鉛直に立ったままでも自立でき、つかみ代の部分が自重で折り重なることは少ない。したがって、図２における固定仕切り板１５に重なる開閉仕切り板１６は不必要となる。ただし、固定仕切り板１５と開閉仕切り板１６を残しておくこともできる。【００３９】
切断刃凹室枠２の凹室８中に紙押し込み部１が進入して切断が行われることは図２、図３と同じ原理であり、上下動機構が水平方向移動に変わっただけである。そして、波状スリット１９から引き出されて自立しているつかみ代を引き出して立っている状態でハンドル３を押し下げると、紙押し込み部１が切断刃凹室枠２側に水平移動して、立っている紙が切断される。そして、波状スリット１９と切断刃７との間の部分がつかみ代として残り、波状スリット１９に近い部分がほぼ自立状態又は盛り上がった状態となり、次の引き出し時のつかみ代となる。このようにして、次のつかみ代が用意される。【００４０】
切断刃凹室枠２のみが移動して切断刃７が露出するのを防止する安全機構とワイヤーによる紙押し込み部１の駆動機構も図１〜３の構成とは異なる。つまり、このタイプでは、背部の上下の滑車４１・４２と紙押し込み枠１側の滑車４３の３個だけで足りる。そして、ワイヤー５は、これら３個の滑車４１・４２・４３に３角形状に掛け回して、このワイヤー５をハンドル３の下端の左右両端３ａを連結してあり、上側の滑車４１・４３間において、前記紙押し込み枠１の左右両端から左右に突出しているスライド板１ｐを連結してある。図４のように、ハンドル３を復帰上昇させるＵ字状の線バネ６の上端をハンドル３の下端３ａに連結してある。【００４１】
したがって、Ｕ字状線バネ６に抗してハンドル３を押し下げると、ワイヤー５が反時計方向に走行して、上側の紙押し込み枠１がハンドル３側に水平移動し、ハンドル３側の切断刃凹室枠２中の切断刃７側に移動し、切断が行われる。ハンドル３から手を離すと、Ｕ字状線バネ６によってハンドル３が押し上げられると共に、ワイヤー５が時計方向に逆走するため、切断終了した紙押し込み枠１が元に復帰して、新たなつかみ代が自立状態ないし盛り上がった状態で残る。【００４２】
切断刃の露出防止は、ハンドル３と切断刃凹室枠２との間で行われる。すなわち、ハンドル３とその下側の板部３ｐとの間に逃げ用の空間２２が開いている。切断刃凹室枠２から背部に突出している当て板２３は、通常は切断刃凹室枠２の復元力で板部３ｐに当たっているので、切断刃凹室枠２は切断方向に移動できず、したがって内部の切断刃７は露出できない。ところが、ハンドル３を押し下げてワイヤー５が反時計方向に走行し、紙押し込み枠１が切断刃凹室枠２に接近した頃合いに、ハンドル板部３ｐが当て板２３を通過するように形成されているので、当て板２３が逃げ空間２２中に突出して、切断刃凹室枠２が切断動作方向に移動して、切断動作が行われる。ロール紙先端の切断完了後には、紙押し込み枠１が元の位置に復帰し、切断刃凹室枠２も復帰バネ１２で元に復帰するが、この際に当て板２３も復帰し、逃げ空間２２から後退するため、ハンドル板部３ｐは上昇して元の位置に復帰する。【００４３】
以上の実施形態において、紙押し込み部１ｕの、切断刃７が進入するスリット１３は、切断刃７の出入り口より奥の部分は幅の広い空間となっていて、切断刃７の先端に付着している切り屑を収容可能な空間１ｓとなっている。また、切断刃の出入り口の部分が狭くなっているので、切断刃の刃先に付着している切り屑は狭い出入り口に引っ掛かって広い空間に残り易くなる。この広い空間１ｓには窓孔１ｗが開いていて、内部の切り屑を容易に排出可能となっている。
【産業上の利用可能性】
【００４４】
以上のように、本発明によるロール紙引き出し器によると、トイレットペーパー等のようなロール紙を片手操作だけで簡単かつ確実に引き出して円滑に切断でき、小型で簡素なため持ち運びも容易で安価に実現できる。また、切断刃が露出しない安全な構造となっており、子どもでも安心して使用できる。そのため、このロール紙引き出し器は、トイレ以外での使用も可能となり、トイレットペーパーの用途が拡大される。しかも、トイレットペーパー以外のロール紙にも使用できる。
【図面の簡単な説明】
【００４５】
【図１】手前側引き出しタイプのロール紙引き出し器の全容を示す斜視図である。
【図２】ロール紙切断機構の詳細を示す縦断面図である。
【図３】ロール紙から引き出された紙の挟持寸前の状態を示す要部の縦断面図である。
【図４】ロール紙から上側に引き出すタイプのロール紙引き出し器の斜視図である。
【図５】図４のロール紙引き出し器の縦断面図である。
【図６】図３の構造におけるロール紙の切断メカニズムを詳述する断面図である。
【図７】片方だけに切断刃寄りのエッジができるように、他方のエッジを除去した実施形態である。
【符号の説明】
【００４６】
Ｒ  トイレットペーパー（ロール紙）
Ｒ１  ロール紙先端（つかみ代）
１  紙押し込み枠
１ｕ  紙押し込み部（紙押し込み枠の上部）
１ｐ  スライド板
１ｓ  空間
１ｗ  窓孔
２  切断刃凹室枠
３  押し下げハンドル
４１…４４  滑車
５  ワイヤー
６  復帰バネ
７  切断刃
８  凹室
９  スリット
１０  小凸部
１１  小凹部
１ａ  凸部
１ｂ  凹部
１ｂｂ  残り凹部
ｅ  エッジ
１２  引っ張りバネ
１３  切断刃進入スリット
１４  ロール紙引き出し窓
Ｓ  スリット
【図１】
0004418469.tif 000002
【図２】
0004418469.tif 000003
【図３】
0004418469.tif 000004
【図４】
0004418469.tif 000005
【図５】
0004418469.tif 000006
【図６】
0004418469.tif 000007
【図７】
0004418469.tif 000008